(57)【要約】【課題】フィルタ層を通しての吸引によって周囲空気を汚染除去するための汚染除去建築物を提供する。【解決手段】汚染除去建築物（１）は、フィルタ層（８−９）と、フィルタ層を支持する透過性の上壁（１１）と、上壁と共にプレナム（１０）を画定する不透過性の下壁（１２）からなるカバー（２）と、下壁に接続されてプレナム内に開口するチャネル（１３）を有する強制換気装置（７）と、プレナム内に空気を吸い込んでカバーの下に排出するためにチャネル内に配置されたファン（１４）とを含む。 水がフィルタ層および上壁を通過してチャネル内に落下するのを防止するためにキャップ（１５）がチャネルの上に配置されている。【選択図】図１
2019211204.tif 000002
【特許請求の範囲】
【請求項１】
カバー（２）および支持構造（３）を含む汚染除去建築物（１）であって、前記支持構造（３）は、前記カバー（２）を支持するとともに、前記カバー（２）の下に少なくとも２ｍの高さを有する自由空間を画定し、前記カバーは、
フィルタ層（８−９）と、
水および空気に対して透過性であり、かつ前記フィルタ層（８−９）を支持する上壁（１１）と、
前記上壁（１１）の下に位置し、かつ水を通さない下壁（１２）であって、前記上壁（１１）とともにプレナム（１０）を画定する下壁（１２）と、
前記フィルタ層（８−９）および前記上壁（１１）を通り、空気を前記プレナム（１０）内に引き込み、前記空気を前記自由空間に排出するよう設計された少なくとも１つの強制換気装置（７）と、
を備え、
前記強制換気装置（７）は、
前記下壁（１２）にしっかりシールされた下端部（１３ａ）および前記プレナム（１０）内に開口する上端部（１３ｂ）の間で、前記プレナム（１０）内に延在する防水チャネル（１３）であって、前記チャネルの前記下端部（１３ａ）は、前記下壁（１２）の下で大気に接続された、防水チャネル（１３）と、
前記チャネル（１３）内に配置されたファン（１４）と、
を備え、
キャップ（１５）が前記チャネル（１３）の上に配置され、前記キャップ（１５）は、不透過性であり、および水が前記フィルタ層（８−９）および前記上壁（１１）を通過して、前記チャネル（１３）内に落下することを防ぐよう設計されている、汚染除去建築物（１）。
【請求項２】
前記フィルタ層（８−９）が植物層である、請求項１に記載の汚染除去建築物（１）。
【請求項３】
前記カバー（２）が著しく水平である、請求項１または請求項２に記載の汚染除去建築物（１）。
【請求項４】
前記キャップ（１５）が前記チャネル（１３）をカバーする頂部（１５ａ）と、周縁フランジ（１５ｂ）とを有し、前記周縁フランジ（１５ｂ）は、前記キャップの前記頂部（１５ａ）の周縁から、前記チャネルの上縁部の下に位置する下縁部（１５ｃ）まで下方に延在する、請求項１〜３のいずれか一項に記載の汚染除去建築物（１）。
【請求項５】
前記周縁フランジ（１５ｂ）が前記チャネル（１３）の前記上縁部の下に位置する下縁部（１５ｃ）まで下方に延在する、請求項４に記載の汚染除去建築物（１）。
【請求項６】
前記キャップの前記頂部（１５ａ）が前記上壁（１１）の一部である、請求項４または５に記載の汚染除去建築物（１）。
【請求項７】
前記カバー（２）が前記プレナム（１０）を画定する後部フランジ（３１）を備え、前記後部フランジの近くに前記チャネル（１３）が位置し、
および前記キャップ（１５）が前記チャネル（１３）をカバーする頂部（３２）を有し、前記頂部（３２）は、前記フランジ（３１）から前記チャネル（１５）を通り過ぎて、前記チャネルを越えて位置する前縁まで延在し、前記前縁は、フラップ（３３）によって下方に延在する、請求項１〜３のいずれか一項に記載の汚染除去建築物（１）。
【請求項８】
前記プレナム（１０）内に開口する排水導管（２５）をさらに備える、請求項１〜７のいずれか一項に記載の汚染除去建築物（１）。
【請求項９】
前記ファン（１４）に接続され、かつ前記ファン（１４）を制御するよう適合された電子中央ユニット（２０）をさらに備える、請求項１〜８のいずれか一項に記載の汚染除去建築物（１）。
【請求項１０】
前記フィルタ層（８−９）の湿度を測定するよう適合された少なくとも１つの湿度センサ（２１）をさらに備え、測定された湿度が第１の所定の閾値を越える場合に前記ファン（１４）を作動させないように、前記電子中央ユニット（２０）が前記ファン（１４）を制御するよう適合されている、請求項９に記載の汚染除去建築物（１）。
【請求項１１】
前記ファン（１４）が前記ファン（１４）の少なくとも１つの動作パラメータを測定し、かつ前記電子中央ユニット（２０）と通信するよう適合され、かつ前記動作パラメータが前記ファン（１４）の異常動作に対応する場合に前記電子中央ユニット（２０）が前記ファン（１４）を停止するよう適合されている、請求項９または請求項１０に記載の汚染除去建築物（１）。
【請求項１２】
前記プレナム（１０）が水（１７）を保持するよう適合され、かつ前記カバー（２）が水（１７）を前記プレナム（１０）にポンプ送りするよう適合されたポンプ（１８）と、前記ポンプ（１８）に接続されるとともに、前記ポンプ（１８）が動作する場合に前記フィルタ層（８−９）に水を注ぐよう設計される少なくとも１つの導管（１９）とを備える散水装置（１８−１９）をさらに含む、請求項１〜１１のいずれか一項に記載の汚染除去建築物（１）。
【請求項１３】
前記電子中央ユニット（２０）が前記ポンプ（１８）に接続され、かつ測定された湿度が第２の所定の閾値を下回る場合に前記フィルタ層（８−９）に水を注ぐために前記ポンプ（１８）を制御するようプログラムされている、請求項９〜１１のいずれか一項を引用する場合の請求項１２に記載の汚染除去建築物（１）。
【請求項１４】
前記電子中央ユニット（２０）が、前記電子中央ユニット（２０）に大気汚染レベルに関する情報を提供するように適合された外部装置（２４，２６）と通信し、前記大気汚染レベルが所定の閾値を上回る場合のみに前記ファン（１４）を作動するよう前記電子中央ユニット（２０）が設計されている、請求項７〜９および１１のいずれか一項に記載の汚染除去建築物（１）。
【請求項１５】
公共交通機関を待つ通勤者のための乗客待合所（Ｖ）を形成する、請求項１〜１４のいずれか一項に記載の汚染除去建築物（１）。
【発明の詳細な説明】
【技術分野】
【０００１】
本開示は、汚染除去建築物に関する。
【０００２】
具体的には、本開示は、カバーと、カバーを支持し、その下に少なくとも２ｍの高さを有する自由空間を画定する支持構造とを含む汚染除去建築物に関し、カバーは、
−  水と空気の両方を透過するフィルタ層
−  水と空気の両方を透過し、かつフィルタ層を支持する上壁
−  上壁の下に位置し、上壁と接合してプレナムを形成する防水下壁
−  フィルタ層および上壁を通してプレナム内に空気を引き込み、自由空間内に空気を排出するように設計された少なくとも１つの強制換気装置
を備える。
【背景技術】
【０００３】
特許文献１には、フィルタ層を通して空気を引き込むために比較的複雑な換気装置を使用することの顕著な不利点を提示する、汚染除去屋根の例が記載されている。
【先行技術文献】
【特許文献】
【０００４】
【特許文献１】国際公開第２０１０／１２８２５２号パンフレット
【発明の概要】
【発明が解決しようとする課題】
【０００５】
本開示はこの欠点を克服することを目的とする。
【課題を解決するための手段】
【０００６】
この目的のために、このような建物の強制換気装置は
−  下壁にしっかりと封止された下端部とプレナム内に開口する上端部との間でプレナム内に延在する防水チャネルであって、チャネルの下端部は、下壁の下の大気に接続されている、防水チャネル
−  前記チャネル内に配置されたファンであって、キャップがチャネルの上に配置され、前記キャップは不透過性であり、水がフィルタ層および上壁を通りチャネル内に落ちるのを防止するように設計された、ファン
から構成されている。
【０００７】
このようにして、水の存在が強制換気装置の動作を妨害しないことを確実にしながら、吸引装置の構造が単純化される。
【０００８】
汚染除去建築物の様々な実施形態では、以下の規定のうちの１つまたは複数を任意選択で用いることもできる。
−  フィルタ層は、植物層である。
−  カバーは、略水平である（例えば、水平であるか、又は水平面から１０度未満傾斜している）。
−  キャップは、チャネルを覆う頂部と、キャップの頂部の周縁部から、おそらくはチャネルの上縁部の下に位置する下縁部まで下方に延びる周縁フランジとを有する。
−  キャップの上部は、上壁の一部である。
−  カバーは、プレナムを画定する後縁を有し、その近くにチャネルがあり、キャップは、周縁からチャネルの上を通過し、チャネルを越えて位置する縁部まで延びてチャネルを覆う頂部を含み、前縁部はフラップによって下方に延在している。
−  汚染除去建築物は、プレナム内に開口する排水導管をさらに備える。
−  汚染除去建築物は、ファンに接続され、前記ファンを制御するように設計された電子中央ユニットをさらに備える。
−  汚染除去建築物はさらに、フィルタ層内の湿度を測定するように設計された少なくとも１つの湿度センサを備え、電子中央ユニットは、測定された湿度が第１の所定の閾値を超えた場合に、ファンが作動しないようにファンを制御するように設計される。
−  ファンは、前記ファンの少なくとも１つの動作パラメータを測定して電子中央ユニットに通信するように設計され、電子中央ユニットは、前記動作パラメータがファンの異常動作に対応する場合に、ファンを停止するように設計される。
−  プレナムは水を保持するように設計され、カバーはさらにスプリンクラー装置を含み、スプリンクラー装置は、プレナム内に水をポンプ送りするように設計されたポンプと、ポンプに接続され、かつポンプが動作している場合にフィルタ層に水を注ぐように設計された少なくとも１つのパイプとを備える。
−  汚染除去建築物は、フィルタ層内の湿度を測定するように設計された少なくとも１つの湿度センサと、湿度センサおよびファンに接続され、測定された湿度が第１の所定の閾値を超えた場合にファンが作動しないようにファンを制御するようにプログラムされた電子中央ユニットとをさらに備える。
−  電子中央ユニットは、ポンプに接続され、測定された湿度が第２の所定の閾値を下回る場合に、フィルタ層に水を注ぐためにポンプを制御するようにプログラムされている。
−  電子中央ユニットは、大気汚染レベルに関する情報を前記電子中央ユニットに与えるように設計された外部装置と通信し、前記電子中央ユニットは、大気汚染レベルが所定の閾値を上回った場合のみファンを作動させるように設計される。
−  汚染除去建築物は、公共交通機関の乗客のための避難所を形成する。
【０００９】
添付の図面に関して、非限定的な例として提供される２つの実施形態の以下の説明によってさらなる特徴および利点が明らかになるであろう。
【図面の簡単な説明】
【００１０】
【図１】第１の実施形態に係る汚染除去建築物の概略斜視図である。
【図２】図１に示す構造の垂直断面図である。
【図２Ａ】図２の詳細図である。
【図３】図１〜図２Ａに示す建築物に使用されている電気装置のブロック図である。
【図４】汚染除去建築物の第２の実施形態の断面図である。
【発明を実施するための形態】
【００１１】
これらの図を通して、同一または類似の要素を示すために同じ参照番号が使用されている。
【００１２】
図１および図２は、以下に詳細に説明するフィルタ層を通しての吸引によって周囲空気を汚染除去するための汚染除去建築物１を示す。
【００１３】
汚染除去建築物１は、公共交通機関を待っている通勤者の待合所として特に便利である。
【００１４】
汚染除去建築物１は、前述のフィルタ層を含むカバー２を備える。カバーは、略水平とすることができる（例えば、水平であるか、または水平面から１０度未満傾斜している）。
【００１５】
加えて、汚染除去建築物１は、支持構造３を任意選択で含むことができ、支持構造は、カバー２を支持し、その下に少なくとも２ｍの高さの自由空間を画定する。
【００１６】
図示の例のように、支持構造３は、１つまたは複数の表示パネル４および／または１つまたは複数のポスト５などの様々な部品を含むことができる。垂直壁６（ガラスまたはその他）も支持構造３によって支持することができる。
【００１７】
より詳細に図２および図２Ａに示すように、カバー２は、１つまたは複数の強制換気装置７からなり、空気および水に対して透過性である上述のフィルタ層を通して周囲空気を引き込むことを可能にする。このフィルタ層は、植物層とすることができる。フィルタ層は、その上に植物９が成長する基材８を特に含むことができる。
【００１８】
基材８は、ジオテキスタイルまたはその上に植物９が成長することができる任意の他の基材であり得る。植物９は、特定の汚染除去特性を有する品種とすることができる。
【００１９】
植物９は、例えば、コケ植物を含むか、または完全にまたはほぼ完全にコケ植物からなることができる。
【００２０】
フィルタ層８−９の下に、カバー２は、以下の間に画定されるプレナム１０を含み得る。
−  水および空気を透過させ、かつフィルタ層８−９を支持する剛性の上壁１１。
−  上壁１１の下に位置し、水を通さない剛性の下壁１２。
【００２１】
上壁１１および下壁１２は、カバー２の周辺側壁２ａによって互いに分離されていてもよく、それによって閉鎖チャンバを形成することができる。上壁１１と下壁１２との間にスペーサをさらに含むことができる。
【００２２】
上壁１１は、空気および水が通過することができる透かし模様部分１１ａを含むことができる。
【００２３】
１つまたは複数の強制換気装置７は、フィルタ層８−９および上壁１１を通ってプレナム１０内に空気を吸い込み、それをカバー２の下の乗客Ｖのための待機領域に排出するように設計されている。このように循環する空気は、フィルタ層８−９を通過する際に清浄される。
【００２４】
各強制換気装置７は、
−  下壁１２にしっかりと封止された下端部１３ａとプレナム１０内に開口する上端部１３ｂとの間でプレナム１０内に延在する防水チャネル１３であって、チャネル１３の下端部１３ａは、例えば格子７ａ等を通り下壁１２の下の大気に接続されている、防水チャネル１３
−  前記チャネル内に配置されたファン１４
を含むことができる。
【００２５】
さらに、各チャネル１３は、前記チャネル１３の上方に位置するキャップ１５を有し、不透過性でかつ、水がフィルタ層８−９および上壁１１を通過してチャネル１３内に落下するのを防止するように設計されている。
【００２６】
キャップ１５は、例えば、チャネル１３を覆う頂部１５ａと、キャップの頂部１５ａの外周から下縁部１５ｃまで下方に延在する周縁フランジ１５ｂとを備え、周縁部１５ｂおよびチャネル１３の間に自由環状空間１６を残す。したがって、ファン１４によってプレナム１０内に循環された空気は、この自由環状空間１６内を通過する。
【００２７】
各キャップ１５の頂部１５ａは、上壁１１の一部であってもよく、この上壁１１は、キャップの頂部１５ａを形成する領域の外側に穿孔される。
【００２８】
雨が降っている場合、または植物９が水を与えられている場合、植物９によって吸収されない水は、上壁１１を通過してプレナム１０内に落下する。このように下壁１２の上には、水１７の層が形成される。
【００２９】
この水１７は、以下のものを含む散水装置により、植物９に水を供給するために再利用することができる。
−  プレナム１０の底部に配置された電動ポンプ１８
−  ポンプ１８に接続され、ポンプ１８が作動している場合にフィルタ層８−９に水を注ぐように設計された少なくとも１つのダクト１９（例えば、基材８内に配置された、それ自体知られている１つまたは複数の多孔質管を含む）。
【００３０】
プレナム１０は、プレナム１０内に開口し、オーバーフローを形成し、一定レベルの水１７の層を超えて過剰な水を排出することを可能にする排水導管２５を含み得ることに留意されたい。
【００３１】
ポンプ１８は、コントローラなどの電子中央ユニット２０（ＣＰＵ）によって制御することができる（図３参照）。
【００３２】
電子中央ユニット２０はまた、フィルタ層内の湿度を測定するために基材８に配置された湿度センサ２１（Ｃ１）に接続することができる。電子中央ユニット２０は、プレナム１０内の水位１７を測定するように設計された水位センサ２２（Ｃ２）にも接続することができる。
電子中央ユニット２０はまた、それらを制御するためにファン１４に接続することができる。
【００３３】
電子中央ユニット２０は、ファン１４を制御するように適合（プログラム）でき、湿度センサ２１によって測定された湿度が第１の所定の閾値（実際には、このフィルタ層を通る空気の吸引を妨げるフィルタ層８−９内の水の量に対応する）を超えた場合にファン１４が作動しないようにする。これにより、ファン１４の寿命が延びる。
【００３４】
あるいは、またはさらに、ファン１４はさらに、各ファン１４の回転速度または消費電力など、前記ファン１４の少なくとも１つの動作パラメータを測定し、電子中央ユニット２０に通信するように構成されてもよい。この場合、電子中央ユニット２０は、前記動作パラメータがファン１４の異常動作に対応する場合にファン１４を停止するように適合させることができ、これはフィルタ層８−９内の過剰な水に対応することができる。これにより、ファン１４の寿命が延びる。
【００３５】
電子中央ユニット２０はまた、測定された湿度が第２の所定の閾値未満（第１の閾値未満）であり、水位１７がポンプ１８の運転を可能にするのに十分である場合に、フィルタ層８−９に水を注ぐために、ポンプ１８を制御するようにプログラムされることができる。
【００３６】
電子中央ユニット２０が三方弁等を制御して、植物に水を注ぐだけでなく水１７を排出するためにポンプ１８を作動させることを可能にすることに留意されたい。
【００３７】
電子中央ユニット２０はまた、おそらくは通信インターフェース２３（ＣＯＭ）、特に無線または有線のものを介して外部と、特にサーバ２６（Ｓ）と通信することができる。サーバ２６は、特に、前記電子中央ユニット２０に、大気汚染レベルに関する定量的および／または定性的情報を与えることができる。
【００３８】
あるいは、またはさらに、電子中央ユニット２０は、それ自体公知の、大気汚染の１つまたは複数のパラメータを測定するよう適合されている外部大気汚染センサ２４（ＰＯＬ）に接続することができる。
【００３９】
したがって、サーバ２６および／または大気汚染センサ２４によって与えられる情報に応じて、電子中央ユニットは、利用可能な大気汚染情報に従ってファン１４を制御することができ、例えばファンの電力消費を減らし、寿命を延ばすためにピーク汚染の場合のみにファンを作動することができる。
【００４０】
最後に、カバー２は、植物９を覆い、人が植物を損傷することなく植物９の上を歩くことを可能にする上部グリッドまたは同様のもの（図示せず）を含むこともできることに留意されたい。
【００４１】
図４に示す第２の実施形態は、第１の実施形態と同様である。以下に説明する相違点を除いて、第１の実施形態に関して上記で説明したことのすべては、第２の実施形態に適用可能である。
【００４２】
この第２の実施形態では、カバー２は、プレナム１０を後方に画定する前縁３０と、フランジ３１を形成する後壁を有する。図示の例では、カバー２の厚さは、前縁から後縁に向かって増加している。
【００４３】
強制換気装置７は、接線の例として、ファン１４を備える。
【００４４】
ファン１４は、防水チャネル１３内に配置され、その下端部は、プレナム１０を画定する下壁１２に対してしっかりと封止され、その上端部は、プレナムに向かって開いている。チャネル１３は、プレナム１０の内側のフランジ３１の近傍に配置されてもよい。
【００４５】
チャネル１３は、例えば、特に屋根の後縁３１と平行な、著しく垂直な後壁３５、後壁３５と平行な前壁３６、および２つの側壁３７によって画定することができる。  上壁３５は、上縁部３５ａを有し、前壁３６は、上縁部３６ａを有し、側壁３７は、それぞれ上縁部３７ａを有する。図示の例では、上縁部３５ａは、上縁部３６ａ、３７ａよりも高い。
【００４６】
チャネル１３は、ここではカバー２の後部フランジ３１の前方に向かって延びるシールされた頂部３２を備えるキャップ１５によって覆われる。
【００４７】
頂部３２は、チャネルの前縁部３６を越えてフラップ３３まで前方に延び、フラップは、下縁部３３ａまで下方に延びている。図示の例では、下縁部３３ａは、上縁部３６ａ、３７ａよりも高いが上縁部３５ａよりも低いレベルに位置している。
【００４８】
ファン１４は、プレナム１０内に清浄な空気を引き込む空気取入口３８と、カバー２の下に配置された自由空間内の旅行者に清浄な空気を強制的に送り込む空気排出口３９とを備える。
【符号の説明】
【００４９】
１  汚染除去建築物
２  カバー
３  支持構造
４  表示パネル
５  ポスト
６  垂直壁
７  強制換気装置
８  基材
９  植物
１０  プレナム
１１  上壁
１１ａ  透かし模様部分
１２  下壁
１３  防水チャネル
１３ａ  下端部
１３ｂ  上端部
１４  ファン
１５  キャップ
１５ａ  頂部
１５ｂ  周縁フランジ
１５ｃ  下縁部
１６  自由環状空間
１７  水
１８  電動ポンプ
１９  導管
２０  電子中央ユニット
２１  湿度センサ
２２  水位センサ
２３  通信インターフェース
２４  大気汚染センサ
２５  排水導管
２６  サーバ
３０  前縁
３１  フランジ
３２  頂部
３３フラップ
３５  後壁
３６  前壁
３７  側壁
３８  空気取入口
３９  空気排出口
【図１】
2019211204.tif 000003
【図２】
2019211204.tif 000004
【図２Ａ】
2019211204.tif 000005
【図３】
2019211204.tif 000006
【図４】
2019211204.tif 000007
【外国語明細書】
2019211204000001.pdf